(57)【要約】      （修正有）【課題】非通電時においてレンズ群の遊動を抑制可能なレンズ鏡筒を提供する。【解決手段】光軸方向に延びるガイドバー２３の両端は、第１保持部２４ａ及び第２保持部２４ｂで保持される。第１レンズ保持部３０Ａは、第１レンズ２２Ａを保持し、ガイドバー２３と係合する第１係合部３２ＭＡを有し、ボイスコイルモータ４０によってガイドバー２３に沿って駆動される。第２レンズ保持部３０Ｂは、第１レンズ２２Ａの光軸方向に沿った他方の側に配置された第２レンズ２２Ｂを保持し、ガイドバー２３と係合する第２係合部３２ＭＢを有し、ボイスコイルモータ４０によってガイドバー２３に沿って駆動される。第１保持部２４ａと第１レンズ保持部３０Ａとの間には、ボイスコイルモータ４０への非通電時に、両レンズ保持部３０Ａ及び３０Ｂを、第２保持部２４ｂの側に押圧する第１弾性部材２６が設けられる。【選択図】図１
2018004900.tif 000002
【特許請求の範囲】
【請求項１】
光軸方向に延びるガイドバーと、
前記ガイドバーの光軸方向の一方を保持する第１保持部と、他方を保持する第２保持部とを有する固定部と、
第１レンズを保持するとともに、前記ガイドバーと係合する第１係合部を有し、前記第１係合部が前記ガイドバーに沿って移動することにより前記光軸方向の移動が案内される第１レンズ保持部と、
前記第１レンズ保持部を前記光軸方向に駆動する第１ボイスコイルモータと、
前記第１レンズの前記光軸方向に沿った前記他方の側に配置された第２レンズを保持するとともに、前記ガイドバーと係合する第２係合部を有し、前記第２係合部が前記ガイドバーに沿って移動することにより光軸方向の移動が案内される第２レンズ保持部と、
前記第２レンズ保持部を前記光軸方向に駆動する第２ボイスコイルモータと、
前記第１保持部と前記第１レンズ保持部との間に設けられ前記第１ボイスコイルモータ及び前記第２ボイスコイルモータの非通電時に、前記第１レンズ保持部及び前記第２レンズ保持部を、前記第２保持部の側に押圧する第１弾性部材と、
を備えるレンズ鏡筒。
【請求項２】
前記第１ボイスコイルモータ及び前記第２ボイスコイルモータの非通電時に、前記第２レンズ保持部は、前記固定部の前記第２保持部に対して直接又は間接的に当接する、
請求項１に記載のレンズ鏡筒。
【請求項３】
前記第１弾性部材は、コイルばねであり、前記コイルばねの内部を前記ガイドバーが挿通されている、
請求項１または２に記載のレンズ鏡筒。
【請求項４】
前記ガイドバーは、副ガイドバーと、
前記副ガイドバーより長い嵌合長で第１係合部及び第２係合部が嵌合する主ガイドバーとを有し、
前記第１弾性部材は、前記主ガイドバーが内部を挿通している
請求項３に記載のレンズ鏡筒。
【請求項５】
前記第１レンズ保持部と前記第２レンズ保持部との間に、前記光軸方向に伸縮可能な第２弾性部材が配置されている
請求項１から４のいずれか１項に記載のレンズ鏡筒。
【請求項６】
前記第１レンズ保持部の前記第１弾性部材との接触面が、前記光軸方向に対する垂直な面に対して傾いている
請求項１から５のいずれか１項に記載のレンズ鏡筒。
【請求項７】
前記第１レンズ保持部の外周に、前記第２レンズ保持部が挿通されている
請求項１から６のいずれか１項に記載のレンズ鏡筒。
【請求項８】
請求項１から７のいずれか１項に記載のレンズ鏡筒を備えるカメラ。
【発明の詳細な説明】
【技術分野】
【０００１】
本発明は、レンズ鏡筒及びカメラに関するものである。
【背景技術】
【０００２】
従来、レンズを光軸方向に高速に移動させるために、レンズ保持部材をボイスコイルモータを用いて光軸方向に駆動させるレンズ鏡筒が提案されている（特許文献１参照）。
【先行技術文献】
【特許文献】
【０００３】
【特許文献１】特開２０１５−４９３３４号公報
【発明の概要】
【０００４】
本発明のレンズ鏡筒は、光軸方向に延びるガイドバーと、前記ガイドバーの光軸方向の一方を保持する第１保持部と、他方を保持する第２保持部とを有する固定部と、第１レンズを保持するとともに、前記ガイドバーと係合する第１係合部を有し、前記第１係合部が前記ガイドバーに沿って移動することにより前記光軸方向の移動が案内される第１レンズ保持部と、前記第１レンズ保持部を前記光軸方向に駆動する第１ボイスコイルモータと、前記第１レンズ保持部の前記光軸方向に沿った前記他方の側に配置された第２レンズを保持するとともに、前記ガイドバーと係合する第２係合部を有し、前記第２係合部が前記ガイドバーに沿って移動することにより光軸方向の移動が案内される第２レンズ保持部と、前記第２レンズ保持部を前記光軸方向に駆動する第２ボイスコイルモータと、前記第１保持部と前記第１レンズ保持部との間に設けられ、前記第１ボイスコイルモータ及び前記第２ボイスコイルモータの非通電時に、前記第１レンズ枠及び前記第２レンズ枠を、前記第２保持部の側に押圧する第１弾性部材と、を備える構成とした。
また、本発明のカメラは、上記レンズ鏡筒を備える構成とした。
【図面の簡単な説明】
【０００５】
【図１】第１実施形態のレンズ鏡筒２０を備えるカメラ１の概念的な構成図であり、ボイスコイルモータ４０の通電時の状態を示す。
【図２】駆動部５０を光軸方向被写体側から見た図である。図３は、駆動部５０の斜視図である。
【図３】駆動部５０の斜視図である。
【図４】ボイスコイルモータ４０の非通電時を示す図である。
【図５】第２実施形態のレンズ鏡筒２２０を示す図であり、（ａ）は図１に対応するボイスコイルモータ２４０の通電時、（ｂ）は図４に対応する、ボイスコイルモータ２４０の非通電時を示す。
【図６】第３実施形態のレンズ鏡筒３２０を示す図であり、（ａ）は図１に対応するボイスコイルモータ３４０の通電時、（ｂ）は図４に対応する、ボイスコイルモータ３４０の非通電時を示す。
【図７】第４実施形態のレンズ鏡筒４２０を示す図であり、（ａ）は図１に対応するボイスコイルモータ４４０の通電時、（ｂ）は図４に対応する、ボイスコイルモータ２４０の非通電時を示す。
【図８】第５実施形態における、レンズ鏡筒５２０の光軸方向被写体側の部分断面図である。
【発明を実施するための形態】
【０００６】
（第１実施形態）
以下、図面等を参照して、本発明の実施形態について説明する。
図１は、第１実施形態のレンズ鏡筒２０を備えるカメラ１の概念的な構成図であり、後述するボイスコイルモータ４０の通電時の状態を示す。
【０００７】
カメラ１は、撮像素子１１を備えるカメラボディ１０と、２つのフォーカスレンズ群２２Ａ，２２Ｂを含む複数のレンズ群を含む結像光学系２１を有するレンズ鏡筒２０とを備える。
なお、このレンズ鏡筒２０は、カメラボディ１０と一体に構成されていても、別体として構成されてカメラボディ１０に着脱可能ないわゆる交換レンズであってもよい。
また、実施形態では、フォーカスレンズ群２２Ａ，２２Ｂの駆動部５０について説明するが、これに限らず、ズームレンズ群の駆動部であっても良い。
さらにレンズ群の数は２つに限らず、それ以上であっても良い。
【０００８】
レンズ鏡筒２０の結像光学系２１によりカメラボディ１０における撮像素子１１の撮像面に被写体像を結像される。そして、その被写体像は撮像素子１１が電気信号に変換され、その信号がＡ／Ｄ変換されることによって画像データが得られる（撮影される）。
【０００９】
レンズ鏡筒２０は、光軸方向被写体側に配置されたフォーカスレンズ群２２Ａと、その光軸方向カメラボディ側に配置されたフォーカスレンズ群２２Ｂと、それらをそれぞれ駆動する駆動部５０Ａ，５０Ｂと、それらの外周に設けられた固定筒２４とを備える。２つのフォーカスレンズ群２２Ａ，２２Ｂは、異なる駆動部５０Ａ，５０Ｂを備え、独立して駆動可能である。
【００１０】
駆動部５０Ａと駆動部５０Ｂとは、略同様の構成であるので、以下の説明では、特に必要である場合を除き、駆動部５０として説明する。また、区別して説明する場合において、符号の末尾にＡを付した部材は、フォーカスレンズ群２２Ａを駆動する駆動部５０Ａに含まれる部材であり、符号の末尾にＢを付した部材は、フォーカスレンズ群２２Ｂを駆動する駆動部５０Ｂに含まれる部材を指す。
【００１１】
図２は、駆動部５０を光軸方向被写体側から見た図である。図３は、駆動部５０の斜視図である。駆動部５０は、フォーカスレンズ群２２を保持するレンズ枠３０と、レンズ枠３０を移動駆動する一対のボイスコイルモータ４０（４０Ｕ，４０Ｌ）と、光軸と平行に延設され、レンズ枠３０を移動可能に支持する一対のガイドバー２３（主ガイドバー２３Ｍ，副ガイドバー２３Ｓ）と、を備える。
２つのレンズ枠３０Ａ，３０Ｂを保持するガイドバー２３は主ガイドバー２３Ｍ、副ガイドバー２３Ｓともに共通であるが、これに限定されず、共通でなくてもよい。
【００１２】
ガイドバー２３（主ガイドバー２３Ｍ，副ガイドバー２３Ｓ）は、断面形状が所定径の円形の軸であって、光軸を挟む略対称位置に、それぞれ光軸と平行に配設されている。
【００１３】
レンズ枠３０は、フォーカスレンズ群２２を支持する部分の周囲に、主ガイドバー係合部３２Ｍと、副ガイドバー係合部３２Ｓと、一対のコイル支持部３３と、を備えている。
【００１４】
主ガイドバー係合部３２Ｍは、主ガイドバー２３Ｍに係合し、図２における右側に配設されている。主ガイドバー係合部３２Ｍは、光軸方向に所定幅を有し、ガイド孔３２Ｍａが光軸方向に貫通形成されている。ガイド孔３２Ｍａには、主ガイドバー２３Ｍが摺動移動可能に嵌合されている。
ガイドバー２３Ｍは、レンズ枠３０が光軸に対して倒れにくいように嵌合長が極力長く設けられている。
【００１５】
副ガイドバー係合部３２Ｓは、副ガイドバー２３Ｓに係合し、主ガイドバー係合部３２Ｍに対して光軸を挟んだ反対側の位置に配設されている。副ガイドバー係合部３２Ｓは、光軸方向に所定厚さの板状であって、光軸方向に貫通形成されたガイド孔３２Ｓａを備えている。
なお、図２に示すように、主ガイドバー２３Ｍと主ガイドバー係合部３２Ｍとの嵌合長は、副ガイドバー２３Ｓと副ガイドバー係合部３２Ｓとの嵌合長よりも長い。
ガイド孔３２Ｓａは、長孔であって、ガイドバー２３Ｓが、長径方向においては遊嵌し、短径方向においては摺動移動可能に嵌合するように形成されている。
副ガイドバー係合部３２Ｓは、主ガイドバー係合部３２Ｍ（ガイド孔３２Ｍａ）を中心としたレンズ枠３０の回転を規制する。
【００１６】
図１に示すように、第２レンズ枠３０Ｂの主ガイドバー係合部３２ＭＢの光軸方向被写体側面には、第１緩衝部材３４が配置されている。ただし、これに限らず、第１レンズ枠３０Ａの主ガイドバー係合部３２ＭＡの光軸方向カメラボディ側に第１緩衝部材３４を配置してもよい。
【００１７】
コイル支持部３３は、光軸を挟む図２における上下の対称位置にそれぞれ形成されている。コイル支持部３３には、ボイスコイルモータ４０（４０Ｕ，４０Ｌ）のコイル４１がそれぞれ装着されている。
【００１８】
ボイスコイルモータ４０（４０Ｕ，４０Ｌ）は、光軸を挟んで一対（二組）設けられているが、同様な構成であるため、図中同じ構成要素には同符号を付してある。以下の説明では、特に必要である場合を除き、ボイスコイルモータ４０として説明とする。
ボイスコイルモータ４０は、レンズ枠３０のコイル支持部３３に装着されたコイル４１と、レンズ鏡筒２０の図示しない固定部材に固定されたヨーク４２と、ヨーク４２に装着されたマグネット４３と、を備える。
【００１９】
また、レンズ鏡筒２０は、図示しない位置検出用のエンコーダ（相対パルスエンコーダ）、及び、初期位置設定用のフォトリフレクタ２５（図１に図示）を備えている。
【００２０】
固定筒２４は、レンズ鏡筒２０の外周側を覆っている。固定筒２４の光軸方向被写体側端部には、図１に示すように、光軸に対して垂直な第１保持部２４ａが形成されている。また、固定筒２４の光軸方向カメラボディ側端部には、光軸に対して垂直な第２保持部２４ｂが形成されている。
主ガイドバー２３Ｍ及び副ガイドバー２３Ｓは、第１保持部２４ａと第２保持部２４ｂとの間に架け渡されさている。すなわち、主ガイドバー２３Ｍ及び副ガイドバー２３Ｓは、光軸方向被写体側端部は第１保持部２４ａに固定されている。主ガイドバー２３Ｍ及び副ガイドバー２３Ｓは、光軸方向カメラボディ側端部は第２保持部２４ｂに固定されている。
【００２１】
また、第２保持部２４ｂの光軸方向被写体側面には、第２緩衝部材３５が配置されている。
ただし、これに限らず、第２レンズ枠３０Ｂの光軸方向カメラボディ側面に、第２緩衝部材３５を配置してもよい。
【００２２】
主ガイドバー２３Ｍの外周における、第１保持部２４ａと、主ガイドバー係合部３２Ｍの光軸方向被写体側面との間には、弾性部材２６が配置されている（図２及び図３には図示せず）。本実施形態において弾性部材２６として、圧縮ばねを用いるが、これに限定されず、圧縮ばね程度の伸縮性のある他の弾性部材であっても良い。
【００２３】
弾性部材２６の一端は第１保持部２４ａに固定されている。弾性部材２６の他端は、本実施形態において主ガイドバー係合部３２Ｍの光軸方向被写体側面に固定されているが、これに限定されず、固定されていなくても良い。
弾性部材２６は、第１レンズ枠３０Ａを光軸方向カメラボディ側に押圧している。しかし、弾性部材２６の付勢力は、ボイスコイルモータ４０の駆動力に比べて小さく、ボイスコイルモータ４０によるフォーカスレンズ群２２の駆動に支障がない。
【００２４】
実施形態によると、ボイスコイルモータ４０のコイル４１に通電されると、コイル４１にローレンツ力が発生する。実施形態では、ローレンツ力は光軸方向の駆動力となる。
撮影時において、レンズ枠３０は、ボイスコイルモータの駆動力によって光軸方向に移動される。この際、レンズ枠３０は、ガイドバー２３によって光軸方向に直進案内される。
この駆動力は、弾性部材２６の付勢力より大きいため、弾性部材２６の付勢力にかかわらず、フォーカスレンズ群２２を所望の位置に駆動させることが可能である。
【００２５】
図４は、ボイスコイルモータ４０（コイル４１）の非通電時を示す図である。
例えば、カメラ１の図示しないメインスイッチがオフにされた場合等において、レンズ枠３０は一旦、初期位置に戻る。初期位置へ移動したかどうかは、フォトリフレクタ２５により検出される。
【００２６】
初期位置への移動後、駆動部５０（ボイスコイルモータ４０，コイル４１）への通電がオフになる。そうすると、ボイスコイルモータ４０は自己保持力を有していないため、第１レンズ枠３０Ａ及び第２レンズ枠３０Ｂは光軸方向においてボイスコイルモータ４０による保持がされていない状態となる。
本実施形態によると、ボイスコイルモータ４０が非通電の場合、弾性部材２６は、第１レンズ枠３０Ａ及び第２レンズ枠３０Ｂを光軸方向カメラボディ側に押し付ける。すなわち、弾性部材２６の自然長は、図４で示す状態以上である。
【００２７】
（第１実施形態の効果）
（１）ボイスコイルモータ４０が非通電状態となると、ボイスコイルモータは自己保持力がなくなる。しかし、本実施形態では、その場合、第１レンズ枠３０Ａ及び第２レンズ枠３０Ｂが、弾性部材２６によって、固定筒２４の第２保持部２４ｂに押し付けられる。
すなわち、ボイスコイルモータ４０が非通電の状態で、第１レンズ枠３０Ａ及び第２レンズ枠３０Ｂは、弾性部材２６と第２保持部２４ｂとの間に保持されている。したがって、例えばレンズ鏡筒２０を持ち運ぶ際に、隣接部品と衝突することによるカタカタ音や部品破損を低減することができ、光学性能の悪化が防止される。
【００２８】
（２）また、本実施形態では、弾性部材２６は、第１レンズ枠３０Ａの主ガイドバー係合部３２Ｍの端面を押圧する。主ガイドバー係合部３２Ｍの主ガイドバー２３Ｍに対する嵌合長は、副ガイドバー係合部３２Ｓの副ガイドバー２３Ｓに対する嵌合長より長い。
仮に、弾性部材２６が副ガイドバー係合部３２Ｓの端面を押圧する構成の場合、レンズ枠３０の光軸に対する倒れにより、主ガイドバー係合部３２Ｍのガイド孔３２Ｍａでの主ガイドバー２３Ｍとのガタが詰まり、摩擦力が生じてレンズ枠３０の光軸方向の移動がしにくくなる。
しかし、本実施形態の弾性部材２６は、嵌合長の長い第１レンズ枠３０Ａの主ガイドバー係合部３２Ｍの端面を押圧する。この場合、レンズ枠３０の光軸に対する倒れは小さく、さらに、副ガイドバー係合部３２Ｓのガイド孔３２Ｓａは長孔であるため、倒れがあっても副ガイドバー２３Ｓとの間で大きな摩擦力は生じず、レンズ枠３０の光軸方向の移動には支障がない。
【００２９】
（３）第１レンズ枠３０Ａと第２レンズ枠３０Ｂとの間、及び第２レンズ枠３０Ｂと第２保持部２４ｂとの間に、緩衝部材３４，３５が配置されている。
ボイスコイルモータ４０が非通電状態で、例えばレンズ鏡筒２０を持ち運ぶ際、第１レンズ枠３０Ａ及び第２レンズ枠３０Ｂに対して、光軸方向被写体側に弾性部材２６の付勢力以上の力が加わる可能性もある。
この場合、第１レンズ枠３０Ａと第２レンズ枠３０Ｂが光軸方向に振動し、第１レンズ枠３０Ａと第２レンズ枠３０Ｂとの間、又は第２レンズ枠３０Ｂと第２保持部２４ｂとの間が一旦離れて、また接触する可能性もある。この際、本実施形態では、緩衝部材３４，３５が配置されているため、カタカタ音や部品破損を低減することができ、光学性能の悪化が防止される。
【００３０】
（第２実施形態）
図５は第２実施形態のレンズ鏡筒２２０を示す図であり、（ａ）は図１に対応するボイスコイルモータ２４０の通電時、（ｂ）は図４に対応する、ボイスコイルモータ２４０の非通電時を示す。
【００３１】
第２実施形態が第１実施形態と異なる点は、第２レンズ枠２３０Ｂと、固定筒２２４の保持部の第２保持部２２４ｂの間に、緩衝部材ではなく第２弾性部材２３５が配置されている点である。
第２弾性部材２３５の光軸方向カメラボディ側端部は、第２保持部２２４ｂの光軸方向被写体側面に取り付けられている。しかし、第２弾性部材２３５の光軸方向被写体側端部は、第２レンズ枠２３０Ｂに固定されていない。そして、図５（ａ）に示すボイスコイルモータ２４０の通電時において、第２レンズ枠２３０Ｂに第２弾性部材２３５は接触していない。
なお、他の構成は同様であるので説明は省略する。
【００３２】
（第２実施形態の効果）
（１）本実施形態によると、ボイスコイルモータ２４０の通電時において、第２レンズ枠２３０Ｂに第２弾性部材２３５は接触しないので、ボイスコイルモータ２４０における第２レンズ枠２３０Ｂの制御が容易である。
（２）しかし、図５（ｂ）に示すボイスコイルモータ２４０の非通電時において、第２レンズ枠２３０Ｂが光軸方向カメラボディ側に押圧されると、第２弾性部材２３５と第２レンズ枠２３０Ｂとが接触して、第１レンズ枠２３０Ａと第２レンズ枠２３０Ｂとが、第１弾性部材２２６と第２弾性部材２３５との間に保持されるので、本実施形態においても、第１実施形態と同様の効果が得られる。
【００３３】
（３）さらに、第２実施形態では、第２レンズ枠３０Ｂと第２保持部２２４ｂとの間に第２弾性部材２３５が配置されている。
ボイスコイルモータ４０が非通電状態で、例えばレンズ鏡筒２２０を持ち運ぶ際、第１レンズ枠２３０Ａ及び第２レンズ枠２３０Ｂに対して、光軸方向被写体側に弾性部材２２６の付勢力以上の力が加わる可能性もある。
この場合、第１レンズ枠２３０Ａ及び第２レンズ枠２３０Ｂが光軸方向に振動し、第２レンズ枠２３０Ｂと第２保持部２２４ｂとの間が一旦離れて、また接触する可能性もある。
本実施形態では、第２レンズ枠２３０Ｂと第２保持部２２４ｂとの間に第２弾性部材２３５が配置されているため、第２レンズ枠２３０Ｂと第２保持部２２４ｂとが衝突することがない。したがって、第１実施形態のように緩衝部材３５が配置されている場合よりも、さらにカタカタ音や部品破損を防ぐことができ、光学性能の悪化が防止される。
【００３４】
（第３実施形態）
図６は第３実施形態のレンズ鏡筒３２０を示す図であり、（ａ）は図１に対応するボイスコイルモータ３４０の通電時、（ｂ）は図４に対応する、ボイスコイルモータ３４０の非通電時を示す。
第３実施形態が第１実施形態と異なる点は、第１レンズ枠３３０Ａと第２レンズ枠３３０Ｂとの間に、緩衝部材ではなく弾性部材３３４が配置されている点である。
第２弾性部材３３４の光軸方向カメラボディ側端部は、第２レンズ枠３３０Ｂの主ガイドバー係合部３３２ＭＢの光軸方向被写体側面に取り付けられている。あるいは、第２弾性部材３３４の光軸方向被写体側端部が、第１レンズ枠３３０Ａの主ガイドバー係合部３３２ＭＡの光軸方向カメラボディ側面に取り付けられていてもよい。さらに、第２弾性部材３３４の両側端部のそれぞれが、主ガイドバー係合部３３２ＭＢの光軸方向被写体側面、第１レンズ枠３３０Ａの主ガイドバー係合部３３２ＭＡの光軸方向カメラボディ側面に取り付けらている構成でもよい。
他の構成は同様であるので説明は省略する。
【００３５】
（第３実施形態の効果）
（１）本実施形態においても、第１実施形態と同様の効果が得られる。
（２）さらに、第３実施形態では、第１レンズ枠３３０Ａと第２レンズ枠３３０Ｂとの間に第２弾性部材３３４が配置されている。
ボイスコイルモータ３４０が非通電状態で、例えばレンズ鏡筒３２０を持ち運ぶ際、第１レンズ枠３３０Ａ及び第２レンズ枠３３０Ｂに対して、光軸方向被写体側に弾性部材の付勢力以上の力が加わる可能性もある。
この場合、第１レンズ枠３３０Ａと第２レンズ枠３３０Ｂとの間が離れたり近づいたりする可能性もある。
この際、本実施形態では、弾性部材３３４が配置されているため、第１レンズ枠３３０Ａと第２レンズ枠３３０Ｂとが接触することがなく、カタカタ音や部品破損を防ぐことができ、光学性能の悪化が防止される。
【００３６】
（第４実施形態）
図７は第４実施形態のレンズ鏡筒４２０を示す図であり、（ａ）は図１に対応するボイスコイルモータ４４０の通電時、（ｂ）は図４に対応する、ボイスコイルモータ４４０の非通電時を示す。
【００３７】
第４実施形態が第１実施形態と異なる点は、第１レンズ枠４３０Ａの、主ガイドバー係合部４３２ＭＡが、第１実施形態より長く、その外周に第２レンズ枠４３０Ｂの、主ガイドバー係合部４３２ＭＢが配置されている点である。主ガイドバー係合部４３２ＭＡの光軸方向カメラボディ側端部には、主ガイドバー係合部４３２ＭＢが主ガイドバー係合部４３２ＭＡから光軸方向に抜けてしまうのを防止するための抜け止め部材４３７が取り付けられている。
【００３８】
（第４実施形態の効果）
（１）本実施形態においても、第１実施形態と同様の効果が得られる。
（２）また、第３実施形態と同様に、第１レンズ枠４３０Ａと第２レンズ枠４３０Ｂとの間に第２弾性部材４３４が配置されている。
ボイスコイルモータ４４０が非通電状態で、例えばレンズ鏡筒２０を持ち運ぶ際、第１レンズ枠４３０Ａ及び第２レンズ枠４３０Ｂに対して、光軸方向被写体側に弾性部材の付勢力以上の力が加わる可能性もある。
この場合、第１レンズ枠４３０Ａ及び第２レンズ枠４３０Ｂとの間が離れたり近づいたりする可能性もある。
この際、本実施形態では、弾性部材４３４が配置されているため、第１レンズ枠４３０Ａ及び第２レンズ枠４３０Ｂとが接触することなく、カタカタ音や部品破損を防ぐことができ、光学性能の悪化が防止される。
【００３９】
（第５実施形態）
図８は、第５実施形態における、レンズ鏡筒５２０の光軸方向被写体側の部分断面図である。
第５実施形態が第１実施形態と異なる点は、第１レンズ枠５３０Ａの主ガイドバー係合部５３２Ｍの光軸方向被写体側の端部が、光軸方向に対して傾斜している点である。傾斜の方向は、レンズ鏡筒５２０の内径側が、外径側よりも、光軸方向被写体側に突出する方向である。
【００４０】
（第５実施形態の効果）
（１）本実施形態においても、第１実施形態と同様の効果が得られる。
（２）通常、ガイドバー構造には、ガイドバーとガイドバー係合部のガイド孔との間にガタを有する。このガタは、最小限とすることによりカメラ撮影のズーミングやフォーカシング時に、レンズの光軸に対する倒れ変動がないようにしている。しかし、部品の温度特性を考慮すると、制御性を良くするためにはガタをなくすことはできない。
本実施形態では、弾性部材が接触する接触面である主ガイドバー係合部５３２Ｍの光軸方向被写体側の端面を傾かせることによって、弾性部材がレンズ枠（主ガイドバー係合部）を押圧する光軸方向の力が、傾斜面に対して垂直方向の分力となる。
分力は、光軸に対して垂直な方向の力成分を有するので、主ガイドバー係合部５３２Ｍが内径側に押圧され、主ガイドバー係合部５３２Ｍのガイド孔５３２ａと、主ガイドバーとの間の嵌合ガタ寄せ効果が得られる。
これにより、レンズ駆動時のガタによるレンズのシフト変動やチルト変動を抑えて光学性能劣化を防ぐことができる。
【００４１】
以上、説明した実施形態は、適宜組み合わせて用いることもできるが、詳細な説明は省略する。また、本発明は以上説明した実施形態によって限定されることはない。
【符号の説明】
【００４２】
１：カメラ、２０，２２０，３２０，４２０，５２０：レンズ鏡筒、２２：フォーカスレンズ群、２２Ａ：第１フォーカスレンズ群、２２Ｂ：第２フォーカスレンズ群、２３：ガイドバー、２３Ｍ：主ガイドバー、２３Ｓ：副ガイドバー、２４，２２４：固定筒、２４ａ：第１保持部、２４ｂ，２２４ｂ：第２保持部、２６，２２６：弾性部材、３０：レンズ枠、３０Ａ，３３０Ａ，４３０Ａ，５３０Ａ：第１レンズ枠、３０Ｂ，２３０Ｂ，３３０Ｂ，４３０Ｂ：第２レンズ枠、３２Ｍ，５３０Ｍ：主ガイドバー係合部、３２Ｓ：副ガイドバー係合部、３３：コイル支持部、３４：第１緩衝部材、３５：第２緩衝部材、４０，２４０，３４０，４４０：ボイスコイルモータ、２３５，３３４：第２弾性部材
【図１】
2018004900.tif 000003
【図２】
2018004900.tif 000004
【図３】
2018004900.tif 000005
【図４】
2018004900.tif 000006
【図５】
2018004900.tif 000007
【図６】
2018004900.tif 000008
【図７】
2018004900.tif 000009
【図８】
2018004900.tif 000010